(57)【要約】【課題】出隅や入隅などの壁面のコーナー部に臨む、厚薄様々な厚みを有する幅木や廻り縁などの造作部材の端部を１種類で見栄え良く納め得るコーナーキャップを提供する。【解決手段】コーナーキャップＡは、壁面Ｗのコーナー部Ｋに臨む一対の造作部材１０・１０’の木口１０ｂ・１０ｂ’ 側の端部に跨って装着される。その水平面被覆片部１ａ・１ａ’は一対の造作部材１０・１０’の木口１０ｂ・１０ｂ’ 側の端部の露出側水平面（幅木の場合はその上面、廻り縁の場合はその下面が相当する。）１０ａ・１０ａ’をそれぞれ覆う。外面被覆片部１ｃ・１ｃ’は、壁面設置時に外部に現れるその外側面１０ｃ・１０ｃ’を覆う。軟質部材からなる被覆用舌片２は、水平面被覆片部１ａ・１ａ’の壁面Ｗに向かう辺から、装着時の造作部材１０・１０’の露出側水平面１０ａ・１０ａ’を越えて、或いは該上面１０ａ・１０ａ’に一致する位置まで延出される。【選択図】図１
2018135690.tif 000002
【特許請求の範囲】
【請求項１】
壁面の下端又は上端にて床面又は天井面に沿うように配設され、壁面のコーナー部に臨む一対の造作部材の木口側の端部に跨って装着され、前記造作部材の露出面を覆うコーナーキャップであって、
前記一対の造作部材の木口側の端部の露出側水平面をそれぞれ覆う水平面被覆片部と、前記木口、及び壁面設置時に外部に現れるその外側面をそれぞれ覆う外面被覆片部とで形成された硬質部材製の平面視Ｌ形の本体部分と、
前記水平面被覆片部の壁面に向かう辺から、装着時の造作部材の露出側水平面を越えて、或いは該露出側水平面に一致する位置まで延出された、軟質部材からなる被覆用舌片とで構成されることを特徴とするコーナーキャップ。
【請求項２】
被覆用舌片の先端部分が本体部分の内側に湾曲するように形成されていることを特徴とする請求項１に記載のコーナーキャップ。
【請求項３】
被覆用舌片は、水平面被覆片部の壁面に向かう辺から独立して延出された２枚の対応部分で構成されていることを特徴とする請求項１又は２に記載のコーナーキャップ。
【発明の詳細な説明】
【技術分野】
【０００１】
本発明は、壁面のコーナー部分において、床面または天井面と壁面との交差部に沿って配設された幅木や廻り縁のような造作部材の端部に装着されるコーナーキャップに関し、更に詳しくは、壁面のコーナーである出隅又は入隅部分の突き合わせ端面の隙間を覆い隠すためのコーナーキャップに係る。
【背景技術】
【０００２】
建物の内壁において、内壁と床および天井との境界部分を美麗に収めるために、内壁の下端部に幅木が、上端部に廻り縁がそれぞれ配設される。内壁にはコーナー部（入隅及び出隅）があり、幅木や廻り縁は、コーナー部で両者が互いに突き合わされることになる。従来工法では、各々の幅木や廻り縁の端面を４５°にカットして付き合わせ、直交させるという施工が行われていた。
【０００３】
しかしながら、４５°のカットは熟練を要する面倒なものであり、精度に欠けると、突き合わされる幅木または廻り縁の突合せ端面間に隙間が生じ、見栄えが悪くなる。
【０００４】
このような事情から、上記４５°のカットが不要で、幅木や廻り縁同士の突き合わせ部分の美観性を向上させつつ簡単に行えるようにしたコーナーキャップが提案されている（特許文献１）。
このコーナーキャップは、コーナー部に直角に突き合わされた幅木や廻り縁の端部にそれぞれ被着可能で、略９０°で配置された左右一対の第１の帯状部、前記第１の帯状部を繋ぐ平面視略１／４円状の第２の帯状部とで構成されている。
【０００５】
このコーナーキャップをコーナー部に直角に突き合わされた幅木や廻り縁の端部にそれぞれ被着すると、幅木や廻り縁の端部が隠され、端面を斜め４５°にカットする必要がない。したがって、幅木または廻り縁同士の接続の施工性が向上する。
【先行技術文献】
【特許文献】
【０００６】
【特許文献１】特許４９７９６１３号公報
【発明の開示】
【発明が解決しようとする課題】
【０００７】
しかしながら、幅木や廻り縁の厚みは薄いものから厚いものまでさまざまなものがあり、上記のコーナーキャップではこれに合わせて多種類のものを用意しなければならなかった。また、現場によっては、厚みの異なる幅木や廻り縁を用いることがあり、上記のようなコーナーキャップでは対応できなかった。
【０００８】
本発明は、上記実情に鑑みなされたものであり、出隅や入隅などの壁面のコーナー部に臨む、厚薄様々な厚みを有する幅木や廻り縁などの造作部材の端部を１種類で見栄え良く納め得るコーナーキャップを提供することをその課題としている。
【課題を解決するための手段】
【０００９】
請求項１に記載の発明は、
壁面Ｗの下端又は上端にて床面４０又は天井面５０に沿うように配設され、壁面Ｗのコーナー部Ｋに臨む一対の造作部材１０・１０’の木口１０ｂ・１０ｂ’ 側の端部に跨って装着され、前記造作部材１０・１０’の露出面を覆うコーナーキャップＡであって、
前記一対の造作部材１０・１０’の木口１０ｂ・１０ｂ’側の端部の露出側水平面（幅木の場合はその上面、廻り縁の場合はその下面が相当する。）１０ａ・１０ａ’をそれぞれ覆う水平面被覆片部１ａ・１ａ’と、前記木口１０ｂ・１０ｂ’及び壁面設置時に外部に現れるその外側面１０ｃ・１０ｃ’をそれぞれ覆う外面被覆片部１ｃ・１ｃ’とで形成された硬質部材製の平面視Ｌ形の本体部分１と、
前記水平面被覆片部１ａ・１ａ’の壁面Ｗに向かう辺（外側面１０ｃ・１０ｃ’の反対側の辺）から、装着時の造作部材１０・１０’の露出側水平面１０ａ・１０ａ’を越えて、或いは該露出側水平面１０ａ・１０ａ’に一致する位置まで延出された、軟質部材からなる被覆用舌片２とで構成されることを特徴とする。
【００１０】
このような構成とすることで、コーナー部Ｋで空間Ｘを設けて直角に配置された（或いは直角に突きあわされた）造作部材１０・１０’の木口側端部１０ｔ・１０ｔ’の壁寄りの部分や前記空間Ｘの壁寄りの部分（この部分は水平面被覆片部１ａ・１ａ’からはみ出す部分）が被覆用舌片２にて被覆されて外部に露出しない。換言すれば、木口１０ｂ・１０ｂ’がどのような形状であってもコーナーキャップＡで隠蔽されるので、熟練技術を要する木口１０ｂ・１０ｂ’の４５°切断（通常は９０°で切断されている）を要しない。従って、施工性を向上させることができる。
【００１１】
また、上記造作部材１０・１０’の厚みに厚薄があったとしても、被覆用舌片２を最も幅の厚い造作部材１０・１０’の露出側水平面１０ａ・１０ａ’に一致する位置、或いは該露出側水平面１０ａ・１０ａ’を越える位置まで延出しておけば、幅の薄い造作部材１０・１０’に対して用いる場合は、軟質部材からなる被覆用舌片２が曲がり、造作部材１０・１０’の木口側端部１０ｔ・１０ｔ’を同様に隠蔽してくれる。
【００１２】
更に、コーナー部Ｋの造作部材１０・１０’の厚みが互いに異なる場合でも、一方の造作部材１０に対しては被覆用舌片２の対応部分（この部分を対応部分５という）が対応し、他方の造作部材１０’に対しては被覆用舌片２のその部分（この部分を対応部分５’という）が個別に対応することになるので、いずれの場合でも１種類のコーナーキャップＡで足る。
【００１３】
なお、造作部材１０・１０’には幅木や廻り縁などが含まれ、幅木の場合は、その内側面が壁面Ｗに接し、その下面が床面４０に接するので、その上面と外側面及び木口が露出面となる。一方、廻り縁の場合は、その内側面が壁面Ｗに接し、その上面が天井面５０に接するので、その下面と外側面及び木口が露出面となるそれ故、幅木の場合は、その上面を廻り縁の場合はその下面を露出側水平面１０ａ・１０ａ’とする。
本発明のコーナーキャップＡは、幅木用も廻り縁用も同一形状で、天地を逆にして装着することになる。
【００１４】
請求項２は、請求項１に記載のコーナーキャップＡにおいて、
被覆用舌片２の先端部分５ｓ・５ｓ’が本体部分１の内側に湾曲するように形成されていることを特徴とする。
【００１５】
これにより厚手の造作部材１０・１０’に対応出来るように作られたコーナーキャップＡを、薄手の造作部材１０・１０’に装着する場合、或いは厚みの異なる造作部材１０・１０’に装着する場合、薄手の造作部材１０（１０’）に対応する対応部分５（５’）がこれに対応して内側に大きく曲がり、該対応部分５（５’）の先端部分５ｓ（５ｓ’）が内側に隠れて露出せず、外観を損なわない。
【００１６】
請求項３は、請求項１又は２に記載のコーナーキャップＡにおいて、
被覆用舌片２は、水平面被覆片部１ａ・１ａ’の壁面Ｗに向かう辺から独立して延出された２枚の対応部分５・５’で構成されていることを特徴とする。
【００１７】
このように被覆用舌片２が２枚の対応部分５・５’で構成されておれば、造作部材１０・１０’の厚薄に関係なくこれらが独立して対応することが出来る。
【発明の効果】
【００１８】
本発明に係るコーナーキャップＡは、上述のような構成としたことで、コーナー部Ｋにおいて、造作部材１０・１０’の木口１０ｂ・１０ｂ’を４５°切断しなくとも見栄え良く納めることができるし、厚みの異なる造作部材１０・１０’に対しても１種類のコーナーキャップＡで対応することができる。
【図面の簡単な説明】
【００１９】
【図１】（ａ）は出隅の造作部材（幅木）の木口側端部に装着したコーナーキャップの取付状態の一例を示す概略斜視図、（ｂ）は壁側から見たコーナーキャップの取付状態の一例を示す概略斜視図である。
【図２】入隅の造作部材（幅木）の木口側端部に装着したコーナーキャップの取付状態の一例を示す概略斜視図である。
【図３】厚手の造作部材（幅木）における図１の平面図である。
【図４】図３の正面図である。
【図５】図４の断面図である。
【図６】薄手の造作部材（幅木）における図１の平面図である。
【図７】図６の正面図である。
【図８】図７の断面図である。
【図９】厚みの異なる造作部材（幅木）を用いた場合の出隅に於けるコーナーキャップの取付状態の一例を示す概略斜視図である。
【図１０】（ａ）は出隅用コーナーキャップの第２実施例、（ｂ）は出隅用コーナーキャップの第３実施例である。
【図１１】出隅の造作部材（廻り縁）の木口側端部に装着したコーナーキャップの取付状態の一例を示す概略斜視図である。
【図１２】図１１の断面図である。
【発明を実施するための形態】
【００２０】
以下、本発明の実施の形態を図面に基づいて説明する。本実施形態では、造作部材１０・１０’には幅木や廻り縁などがあるが、これらにはコーナーキャップＡ（Ａ’）が天地逆にして装着されることになるので、造作部材、及びその下位概念である幅木及び廻り縁を同じ符号１０・１０’で表す。そして幅木の上面、廻り縁の下面は同じ面が天地逆になっただけであるから、これらをその上位概念である露出側水平面とし、これら三者を同じ符号１０・１０’で表す。
【００２１】
また、本発明のコーナーキャップには出隅用と入隅用の２種類があり、出隅用コーナーキャップを符号Ａで表し、入隅用コーナーキャップを符号Ａ’で示す。本実施例では出隅用コーナーキャップＡを代表例とし、入隅用コーナーキャップＡ’についてはその違いだけを説明し、出隅用コーナーキャップＡの説明を入隅用コーナーキャップＡ’の説明に援用する。出隅用については、以下、単にコーナーキャップＡと称する。
なお、本発明のコーナーキャップＡは上記のように幅木用も廻り縁用も基本的に同じ形状で、天地を逆にして装着することになるので、以下、幅木用を中心に説明し、最後に廻り縁の場合を簡単に説明する。
【００２２】
コーナーキャップＡはＬ形に形成され、図１その他に示すように、床面４０と壁面Ｗとの交差部に沿って配設され、出隅３０に臨む一対の幅木１０・１０’の木口１０ｂ・１０ｂ’側の端部にこれらを跨ぐように取り付けられ、これらを覆い隠す構造となっている。
【００２３】
この幅木１０・１０’は、壁面施工時に外部に露出する外側面１０ｃ・１０ｃ’の中央よりやや上方に凹溝１０ｍ・１０ｍ’が長手方向に沿って形成されている。また、この幅木１０・１０’の露出側水平面（上面）１０ａ・１０ａ’の手前側（反壁面側）の縁部には、床面４０側に向けて傾斜する傾斜面１０ｋ・１０ｋ’が形成されている。
この幅木１０・１０’は、例えば、木質系材料や合成樹脂系材料、金属系材料等から帯状に比較的長尺に形成されている。
【００２４】
コーナーキャップＡの本体部分１は、主として水平な水平面被覆片部１ａ・１ａ’、及び垂直な外面被覆片部１ｃ・１ｃ’で形成され、互いに直角に配置され、平面視でＬ形を呈する。
水平面被覆片部１ａ・１ａ’と垂直な外面被覆片部１ｃ・１ｃ’とは、これらとの各内角が１３５°で傾斜した傾斜片部１ｋ・１ｋ’を介して一体的に繋がっている。そして本体部分１の下面、背面及び前記直角部分の反対側の面が開放している。前記傾斜片部１ｋ・１ｋ’は幅木１０・１０’の傾斜面１０ｋ・１０ｋ’に対応している。
本体部分１の正面視、平面視及び側面視の外郭形状はいずれも略長方形であり、幅木１０（１０’）の露出側水平面１０ａ（１０ａ’）、木口１０ｂ（１０ｂ’）及び外側面１０ｃ（１０ｃ’）を覆うようになっている。
【００２５】
そして、外面被覆片部１ｃ・１ｃ’には幅木１０・１０’の凹溝１０ｍ・１０ｍ’に対応した位置に内側に突出した凸条１ｍ・１ｍ’が形成されている。この凸条１ｍ・１ｍ’は、本実施例では外面被覆片部１ｃ・１ｃ’の横方向にてその全長に設けられている。
【００２６】
本体部分１は、硬質部材、通常は硬質樹脂（例えば、ＡＢＳ（アクリロニトリルブタジエンスチレン）や、ポリプロピレン、ポリエチレン、ポリエチレンテレフタレート、ポリカーボネート、ＰＰＳ（ポリフェニレンサルファイド）等の合成樹脂系材料を主材とする。）の成形品で形成される。
【００２７】
そして、本体部分１の水平面被覆片部１ａ・１ａ’の壁側縁から背面視で図１（ｂ）のようなＬ形の軟質材で構成された被覆用舌片２が一体的に延出されている。本実施例の被覆用舌片２は１枚ものであるが、装着時に造作材１０ａ・１０ａ’に水平面被覆片部１ａ・１ａ’から延出した部分が対応することになるので、当該部分を対応部分５・５’とする。
【００２８】
そして対応部分５・５’の先端部分５ｓ・５ｓ’が本体部分１の内側に向けて断面円弧状に曲げられている。また、外面被覆片部１ｃ・１ｃ’の内面に両面テープ７・７’を貼り付けておいてもよい。
【００２９】
上記被覆用舌片２の対応部分５・５’は、本体部分１とは材質が異なるので、本体部分１とは別体で形成され接着により一体化してもよいし、軟質・硬質樹脂を同時に金型に射出する２色成形（ダブルモールド）により一体成形してもよい。
【００３０】
なお、当該コーナーキャップＡを、幅木１０の模様に合わせた色調のものとしたり、または、表面に塗装等を施したりするようにしてもよい。また、上記のような合成樹脂系材料に、木粉や無機フィラー、相溶化剤、着色剤などを所定の含有割合で含有させた木粉・プラスチック複合材（ＷＰＣ）から成形するようにしてもよい。さらに、上記のような合成樹脂製に限られず、アルミニウムやステンレス等の金属材料から鋳造や切削加工等によって一体的に成形した金属製のものとしてもよい。
【００３１】
次に、上記コーナーキャップＡを用いた幅木１０・１０’の突合せ端部の納め構造の一例を出隅施工で説明する。幅木１０・１０’を壁面Ｗと床面４０との交差部分に於いて、出隅３０に向けて両側から設置し、幅木１０・１０’の凹溝１０ｍ・１０ｍ’の部分を壁面Ｗの下端に釘止め固定する。なお、壁面Ｗにはクロス３５が貼られている。
出隅３０において、双方の幅木１０・１０’の木口１０ｂ・１０ｂ’は出隅３０に一致し、木口１０ｂ・１０ｂ’間に空間Ｘが形成される。
【００３２】
次いで、出隅３０に臨む幅木１０・１０’の木口側端部１０ｔ・１０ｔ’を跨ぐようにコーナーキャップＡを被せる。この時、両面テープ７が設けられている場合には、前もって離形紙を剥がしておき、必要に応じてコーナーキャップＡの内面に接着剤を塗り、装着部分である幅木１０・１０’の木口側端部１０ｔ・１０ｔ’の外側面１０ｃ・１０ｃ’に貼着する。
【００３３】
コーナーキャップＡの本体部分１の縦横の内寸（或いは内面形状）は、幅木１０・１０’の縦横の外寸（或いは外形形状）に等しく形成されているので、上記のように一方の外面被覆片部１ｃの凸条１ｍは幅木１０の凹溝１０ｍに嵌め込まれ、他方の外面被覆片部１ｃ’の凸条１ｍ’は幅木１０’の凹溝１０ｍ’に嵌め込まれる。
これにより水平面被覆片部１ａ・１ａ’は幅木１０・１０’の露出側水平面（上面）１０ａ・１０ａ’に密着し、外面被覆片部１ｃ・１ｃ’は幅木１０・１０’の外側面１０ｃ・１０ｃ’にそれぞれ密着する。
【００３４】
そして、幅木１０・１０’が厚手（幅をＴで示す）の場合、図３〜５に示すように、水平面被覆片部１ａ・１ａ’から延びた被覆用舌片２（５・５’）が壁面Ｗに接触してコーナーキャップＡの水平面被覆片部１ａ・１ａ’に覆われなかった部分を覆う。
【００３５】
幅木１０・１０’が薄手（幅をｔで示す）の場合、図６〜８に示すように、水平面被覆片部１ａ・１ａ’から延びた被覆用舌片２が壁面Ｗに接触して内側に曲がり、同様にコーナーキャップＡの水平面被覆片部１ａ・１ａ’に覆われなかった部分を覆う。
この場合、被覆用舌片２が一体の場合、被覆用舌片２のコーナー部分に皺が発生する場合があるが、図１０（ａ）に示すようにコーナー部分で４５°に切断し、（或いは、図１０（ｂ）に示すようにコーナー部分で重ね合わせるようにして）対応部分５・５’を独立させておけば、上記のようなコーナー部分での皺発生は回避できる。
【００３６】
また、被覆用舌片２の対応部分５・５’を独立させておけば、幅木１０・１０’の厚みが異なる場合、対応部分５・５’が独自に対応するため、幅木１０・１０’の木口側端部１０ｔ・１０ｔ’の収めをよりきれいに行える。
【００３７】
図２は入隅用コーナーキャップＡ’の正面方向からの斜視図で、水平面被覆片部１ａ・１ａ’の外面被覆片部１ｃ・１ｃ’の上端からの延出方向、及び凸条１ｍ・１ｍ’の突出方向が外側で、上記出隅用コーナーキャップＡの反対方向である。それ以外は出隅用コーナーキャップＡと同じであり、施工方法も同じである。
【００３８】
次に造作部材１０・１０’が、廻り縁の場合に付いて説明する。廻り縁１０・１０’は壁面Ｗの上端において、天井面５０に沿って取り付けられ、その木口１０ｂ・１０ｂ’がコーナー部Ｋに臨む。廻り縁が上記幅木と同じ断面形状（或いは高さは同じであるが、幅に厚薄がある）の場合、以上に説明したコーナーキャップＡ（Ａ’）を天地逆にして装着することになる（図１１、１２）。これ以外の点は幅木の場合と同じであるので省略し、その説明は幅木の場合を援用する。
【００３９】
以上に説明したコーナーキャップＡ（Ａ’）は、本発明のほんの一例を示すに過ぎない。コーナーキャップＡ（Ａ’）は、発明の趣旨を変更しない範囲で、例えば、袖壁、腰壁などの端部の被覆など種々変更することができる。この場合、造作部材１０は幅木と同様、壁本体に読み替えるものとする。
【符号の説明】
【００４０】
Ａ・Ａ’：コーナーキャップ、Ｋ：コーナー部、Ｔ・ｔ：造作部材の幅、Ｗ：壁面、Ｘ：空間、１：本体部分、１ａ・１ａ’：水平面被覆片部、１ｃ：外面被覆片部、１ｋ・１ｋ’：傾斜片部、１ｍ・１ｍ’：凸条、２：被覆用舌片、５・５’：対応部分、５ｓ・５ｓ’：先端部分、７・７’：両面テープ、１０・１０’：造作部材（幅木・廻り縁）、１０ａ・１０ａ’：露出側水平面（上面・下面）、１０ｂ・１０ｂ’：木口、１０ｃ・１０ｃ’：外側面、１０ｋ・１０ｋ’：傾斜面、１０ｍ・１０ｍ’：凹溝、１０ｔ・１０ｔ’：木口側端部、３０：出隅、３５：クロス、４０：床面、５０：天井面。
【図１】
2018135690.tif 000003
【図２】
2018135690.tif 000004
【図３】
2018135690.tif 000005
【図４】
2018135690.tif 000006
【図５】
2018135690.tif 000007
【図６】
2018135690.tif 000008
【図７】
2018135690.tif 000009
【図８】
2018135690.tif 000010
【図９】
2018135690.tif 000011
【図１０】
2018135690.tif 000012
【図１１】
2018135690.tif 000013
【図１２】
2018135690.tif 000014